(57)【特許請求の範囲】
【請求項１】
Ｓ極及びＮ極を有しＳ極側表面部分とＮ極側表面部分とを異なる色に着色した表示用磁性体と、該表示用磁性体を分散媒と増稠剤とを主成分とする降伏値を有する液体中に分散した分散液体を収容した複数の液体収容室の表面側に、透明な表面板を配置した第一の磁性体反転表示パネルと第二の磁性体反転表示パネルとを、一枚の鉄板の両面に互いの裏面側が向き合うように配置したことを特徴とする両面式磁性体反転表示パネル。
【請求項２】
前記第一の磁性体反転表示パネル及び第二の磁性体反転表示パネルが、透明な表面板と裏面板との間にハニカム構造の隔壁を固着して該隔壁の壁面間を前記液体収容室としたことを特徴とする請求項１に記載の両面式磁性体反転表示パネル。
【請求項３】
前記第一の磁性体反転表示パネルと第二の磁性体反転表示パネルとを、前記一枚の鉄板の両面に互いの裏面板が向き合うように固着して一体としたことを特徴とする請求項２に記載の両面式磁性体反転表示パネル。
【発明の詳細な説明】
【０００１】
【発明の属する技術分野】
本発明は、両面式磁性体反転表示パネルに関する。
【０００２】
【従来の技術】
磁性体反転表示パネルは従来公知であり、例えば特公昭５９−３２７９６号公報等にも記載されている。ところで、従来構造の磁性体反転表示パネルを図を用いて簡単に説明すると、図３に示すように、磁性体反転表示パネル１００ａは、透明な表面板２及び裏面板３間に隔壁４を配置して、その間に複数の液体収容室５を形成している。また、液体収容室５に収容した分散液体６は、表示用磁性体７を分散媒と増稠剤とからなる液体８中に分散した降伏値を有する液体であり、表示用磁性体７は緑色に着色されたＳ極側表面部分と白色に着色されたＮ極側表面部分とを有している。
【０００３】
前記の磁性体反転表示パネル１００ａに表示情報を書き込むには、図３に示すように、例えば、透明な表面板２が白色（Ｎ極側表面部分）の状態で、ペン形状の磁気ペン９の前方部に設けた先端部が磁性体反転磁極としてＮ極を有する磁極部１０を、透明な表面板２に接触した状態で矢印Ｔ方向へ移動させると、磁力Ｆにより表示用磁性体７の緑色（Ｓ極側表面部分）が線状に透明な表面板２側へ配置される。この場合、白色（Ｎ極側表面部分）の表面板２側に緑（Ｓ極側表面部分）の表示線が表示される。
【０００４】
前記白色の背景に緑（Ｓ極側表面部分）の表示が行われている表面板２を白色に戻す場合には、磁気イレーザー１１を使用する。磁気イレーザー１１は平べったい磁石であり、Ｓ極１２とＮ極１３の磁性体反転磁極を有している。磁気イレーザー１１のＳ極１２側を、磁性体反転表示パネル１００ａの表面板２の緑（Ｓ極側表面部分）の表示に接触させると、表示用磁性体７の白色（Ｎ極側表面部分）が透明な表面板２側に配置されて白色となる。
【０００５】
ところで最近、筆記情報量を多くするために、パネルの両面に筆記を行うことができるものが望まれている。図４は、２枚の磁性体反転表示パネル１００ａ，１００ｂを互いの裏面側が向き合うように接着剤１４で固着して、両面に筆記を行うことができるようにした両面構造のものである。
【０００６】
【発明が解決しようとする課題】
しかしながら、前述した通り磁性体反転表示パネル１００ａは、表示用磁性体７を除くと他の構造体は非磁性体であるので、例えば磁気ペン９の磁極部１０を磁性体反転表示パネル１００ａの表面板２に接触した状態で矢印Ｔ方向へ移動させると、磁気ペン９の磁力Ｆにより、磁性体反転表示パネル１００ａの表面板２側に、白色（Ｎ極側表面部分）を向けて整列していた表示用磁性体７を反転させて緑色（Ｓ極側表面部分）の筆記線を描くのと同時に、磁性体反転表示パネル１００ｂの透明な表面板２側に緑色（Ｓ極側表面部分）を向けて整列していた表示用磁性体７を反転してしまい、磁性体反転表示パネル１００ｂの表面板２に不要な白色（Ｎ極側表面部分）の筆記線が描かれてしまうという問題があった。
【０００７】
本発明は前述の事情に鑑み、一方の磁性体反転表示パネルの表面板側から筆記を行う際に、他方の磁性体反転表示パネルに影響を与えることのない両面式磁性体反転表示パネルを提案することを目的とする。
【０００８】
【課題を解決するための手段】
次に、前記課題の解決をするために案出した本発明を説明する。
「１．Ｓ極及びＮ極を有しＳ極側表面部分とＮ極側表面部分とを異なる色に着色した表示用磁性体と、該表示用磁性体を分散媒と増稠剤とを主成分とする降伏値を有する液体中に分散した分散液体を収容した複数の液体収容室の表面側に、透明な表面板を配置した第一の磁性体反転表示パネルと第二の磁性体反転表示パネルとを、一枚の鉄板の両面に互いの裏面側が向き合うように配置したことを特徴とする。
２．前記第一の磁性体反転表示パネル及び第二の磁性体反転表示パネルが、透明な表面板と裏面板との間にハニカム構造の隔壁を固着して該隔壁の壁面間を前記液体収容室としたことを特徴とする。
３．前記第一の磁性体反転表示パネル及び第二の磁性体反転表示パネルが、透明な表面板と裏面板との間にハニカム構造の隔壁を固着して該隔壁の壁面間を前記液体収容室とすると共に、前記第一の磁性体反転表示パネルと第二の磁性体反転表示パネルとを、前記一枚の鉄板の両面に互いの裏面板が向き合うように固着して一体としたことを特徴とする。」
【０００９】
本発明で、第一の磁性体反転表示パネルと第二の磁性体反転表示パネルとを、一枚の鉄板の両面に互いの裏面側が向き合うように配置するのは、第一の磁性体反転表示パネルの表面板側から磁気ペンの磁力で表示用磁性体を動かして筆記を行う際に、第一の磁性体反転表示パネルと第二の磁性体反転表示パネルとの間の鉄板が磁力を吸収するので、第二の磁性体反転表示パネルの表示用磁性体が動かされず、第二の磁性体反転表示パネルへ影響を与えることがないためである。
【００１０】
また、筆記を行う側の磁性体反転表示パネルにおいても、本発明ではパネルの裏側に鉄板があるため、磁極から生じる磁力線が磁極近傍の鉄板に引き寄せられパネル面に対して直交し易くなり、結果として、磁気ペンによる筆記線の輪郭が整い、また、磁気イレーザーによる消去がきれいに行なえるという相乗の作用効果がある。尚、１枚の鉄板を２枚の磁性体反転表示パネルで共用するのでコスト的に優れ、重量が軽減できるので、例えば、複数枚の両面式磁性体反転表示パネルを重ねて綴じて、ノートのような形態にして、さらに多くの筆記を可能にすると共に、携行を容易にすることが可能である。
【００１１】
また、第一の磁性体反転表示パネル及び第二の磁性体反転表示パネルが、透明な表面板と裏面板との間にハニカム構造の隔壁を固着して隔壁の壁面間を液体収容室とするのは、表面板と裏面板とハニカム構造の隔壁とを動かぬように固定することで、パネルの剛性を高めるためであり、さらに、第一の磁性体反転表示パネルと第二の磁性体反転表示パネルとを、一枚の鉄板の両面に互いの裏面板が向き合うように固着して一体とするのは、第一の磁性体反転表示パネルと第二の磁性体反転表示パネルとを一枚の鉄板を介して一体構造とすることにより、両面式磁性体反転表示パネルとしての強度が相乗的に向上し、合板やパーティクルボード等の補強板をあてがわなくとも強度を得ることができるためである。
【００１２】
また、ハニカム構造の隔壁を透明な表面板と裏面板とに固着する方法としては、接着剤を用いたり、熱溶着による手段を用いることが可能であり、固着力が液体収容室内に収容する分散液体の影響を受けない手段であるなら特に限定はない。また、裏面板と鉄板とを固着する方法としては、接着剤や両面粘着テープ等によりはり合わせて固着する手段を用いることができる。尚、接着剤及び両面粘着テープは、裏面板及び鉄板を全面的に展着すればより固着強度の高いものとなるが、裏面板と鉄板とが互いに容易に剥がれないものであれば部分的な展着でもかまわず、少なくとも板の四隅が固着してあれば双方が一体構造となるので良い。
【００１３】
【発明の実施の形態】
本発明を理解しやすいように図面を参照しながら、本発明の実施の形態例を説明する。図１は、本実施の形態の両面式磁性体反転表示パネルに磁気ペンで筆記を行っている状態の断面図である。図１において、両面式磁性体反転表示パネル１は、第一の磁性体反転表示パネル１ａと第二の磁性体反転表示パネル１ｂと鉄板１５とからなる構造としてある。第一の磁性体反転表示パネル１ａ及び第二の磁性体反転表示パネル１ｂは、透明な表面板２及び裏面板３間にハニカム構造の隔壁４を接着剤（図示せず）により固着して配置し、隔壁４の壁面間を複数の液体収容室５としてある。また、液体収容室５には、分散媒と増稠剤とからなる液体８中に表示用磁性体７を分散した降伏値を有する分散液体６を収容してある。表示用磁性体７はＳ極側表面部分を緑色に着色し、Ｎ極側表面部分を白色に着色してある。
【００１４】
尚、本実施の形態では図１に示す通り、第一の磁性体反転表示パネル１ａと第二の磁性体反転表示パネル１ｂとは、鉄板１５の両面に互いの裏面板３が向き合うように接着剤１４で固着して一体としてあるので、磁気ペン９を用いて第一の磁性体反転表示パネル１ａの表面板２側から筆記を行う場合には、磁極１０から生じる磁力Ｆにより、第一の磁性体反転表示パネル１ａの表面板２側に、白色（Ｎ極側表面部分）を向けて整列していた表示用磁性体７を反転させて緑色（Ｓ極側表面部分）の筆記線を描くことができると共に、磁力Ｆが鉄板１５で吸収されるので、第二の磁性体反転表示パネル１ｂの表示用磁性体７は動かされず、磁性体反転表示パネル１ｂの磁性体７は透明な表面板２側に緑色（Ｓ極側表面部分）を向けた整列をし続けることができる。
【００１５】
特に、本実施の形態では、隔壁４をハニカム構造としてあり（図２参照）、表面板２と隔壁４と裏面板３とを接着剤（図示せず）により固着すると共に、第一の磁性体反転表示パネル１ａと鉄板１５と第二の磁性体反転表示パネルとを接着剤１４で全面的に固着して一体としてあるので、パネル強度の高いものとなっている。
【００１６】
図２は、本実施の形態の応用例を示す姿図であり、３枚の両面式磁性体反転表示パネル１を綴じ具１６に綴ったもので、綴じ具１６に固設したリング１７を両面式磁性体反転表示パネル１の四方を取囲むフレーム１８の丸孔１８ａに通して綴じ込んだものである。尚、綴じ具１６の中央部には内側への折り目１６ａを形成しており、綴じ具１６を折り目１６ａで折り畳んで携行を容易としてある。本実施の形態の応用例では図に示す通り、合計６面の表面板１ａ，１ｂとなるので、さらに多くの筆記を行うことができる。
【００１７】
以上、本実施の形態を詳述したが、本発明は、前記実施の形態に限定されるものではなく、特許請求の範囲に記載した本発明の要旨の範囲内で種々の変更を行うことができる。尚、本発明の両面式磁性体反転表示パネルは、透明な表面板及び裏面板間の隔壁の壁面間に分散液体（表示用磁性体が降伏値を有する液体中に分散された液体）を収容する代わりに、分散液体を収容したマイクロカプセルを透明な表面板と裏面板間に配設したパネル構造のものでもかまわない。
【００１８】
【発明の効果】
本発明の両面式磁性体反転表示パネルは以上のような構造なので、一方の磁性体反転表示パネルの表面板側から筆記を行う際に、他方の磁性体反転表示パネルに影響を与えることがないものとなった。
【図面の簡単な説明】
【図１】  本実施の形態の両面式磁性体反転表示パネルに磁気ペンで筆記を行っている状態の断面図である。
【図２】  本実施の形態の応用例を示す姿図である。
【図３】  従来構造の磁性体反転表示パネルである。
【図４】  ２枚の磁性体反転表示パネルを互いの裏面側が向き合うように固着した両面構造である。
【符号の説明】
１…両面式磁性体反転表示パネル、２…表面板、３…裏面板、４…隔壁、
５…液体収容室、６…分散液体、７…表示用磁性体、８…液体、１５…鉄板。
【図１】
0003883428.tif 000002
【図２】
0003883428.tif 000003
【図３】
0003883428.tif 000004
【図４】
0003883428.tif 000005